(57)【要約】【課題】極めて安価に抱負なデザインの引き出し式収納ケース体を提供でき、しかも安価且つ容易にこの引き出し式収納ケース体の外観視を飛躍的に良くすることができ、しかもこの引き出し式収納ケース体を積み重ねることにより、一体となる極めて斬新なデザイン壁部が形成され、しかも、この壁部のデザインを充実したラインナップなら選択できることとなる引き出し式収納ケース体を提供すること。【解決手段】引き出しケース体１の正面板部６に、別体の樹脂パーツとして成形した重合正面板７を正面側から重合付設して板材重合構成の正面壁部５とし、前記重合正面板７の周縁部８がケース本体２の正面開口部３の縁部９の正面に配設してこの縁部９を正面から隠す形状で且つこの縁部９からはみ出さない形状にこの重合正面板７の外形状を設定した引き出し式収納ケース体とする。【選択図】図１
2010005224.tif 000002
【特許請求の範囲】
【請求項１】
上面開口形の引き出しケース体を、積み重ね自在に設けたケース本体の正面開口部から引き出し自在に設け、このケース本体の正面開口部から前記引き出しケース体を前方へ引き出して、引き出しケース体の上部開口部から物を出し入れできるように構成すると共に、前記ケース本体に前記引き出しケース体を収納した際に、この引き出しケース体の正面壁部が前記ケース本体の正面開口部を閉塞するように構成し、前記引き出しケース体の前記正面壁部を、前記引き出しケース体を樹脂成形する際に一体成形される正面板部に、別体の樹脂パーツとして成形した重合正面板を正面側から重合付設して板材重合構成の正面壁部とし、前記重合正面板の周縁部が前記ケース本体の正面開口部の縁部の正面に配設してこの縁部を正面から隠す形状で且つこの縁部からはみ出さない形状にこの重合正面板の外形状を設定したことを特徴とする引き出し式収納ケース体。
【請求項２】
前記板材重合構成の正面壁部の前記樹脂製の重合正面板は、前記樹脂製の引き出しケース体の前記正面板部の材質とは別材質としたことを特徴とした請求項１記載の引き出し式収納ケース体。
【請求項３】
前記板材重合構成の正面壁部の前記樹脂製の重合正面板は、材質、形状及び色彩若しくは模様を設定して飾り板に構成したことを特徴とする請求項１，２のいずれか１項に記載の引き出し式収納ケース体。
【請求項４】
前記板材重合構成の正面壁部の前記樹脂製の重合正面板は、中央を開口して前記正面板部が露出する窓部を設けた枠板状に構成したことを特徴とする請求項１〜３のいずれか１項に記載の引き出し式収納ケース体。
【請求項５】
前記引き出しケース体の前記正面板部を透明若しくは半透明な樹脂で形成して前記板材重合構成の正面壁部の前記樹脂製の重合正面板の前記窓部から前記正面板部を介して引き出しケース体内が正面から透視できるように構成したことを特徴とする請求項４記載の引き出し式収納ケース体。
【発明の詳細な説明】
【技術分野】
【０００１】
本発明は、引き出し式収納ケース体に関するものである。
【背景技術】
【０００２】
一般的な引き出し式収納ケース体は、上面開口形の引き出しケース体を、積み重ね自在に設けたケース本体の正面開口部から引き出し自在に設け、このケース本体の正面開口部から前記引き出しケース体を前方へ引き出して、引き出しケース体の上部開口部から物を出し入れできるように構成されたものであり、原価の安い合成樹脂により、金型を用いて大量生産されているため、極めて安価で便利な収納ケースとして市場に広く浸透している。
【０００３】
しかしながら、この一般的な引き出し式収納ケース体は、金型が高額であるため商品ラインナップが少ないという問題点を有しており、近年の生活水準の高まりやリフォームブームに伴う市場のニーズ、即ち、安価で便利なだけの商品ではなく、便利且つデザイン性を有し、しかも多種の選択肢を供えた商品が求められることとなった現在の市場のニーズに答えることができない。
【０００４】
そこで、引き出し式収納ケース体に収納される引き出しケース体として、この引き出しケース体に一体成形される正面板部をケース本体とは異なる材質、形状及び色彩若しくは模様で構成して、全体のデザインを変えることなく、即ちコスト安に正面視の外観を良くした、例えば、引き出しケース体の正面板部だけを光沢がある見栄え良い材質で構成したものが提案されている。
【０００５】
しかしながら、このような引き出しケース体は、正面板部がケース本体に一体成形される構造のため、新しい素材、形状及び色彩若しくは模様を提案するためには新しい金型を高額な資金を投じて用意する必要があり、製造費がかかることとなり、よって、引き出し式収納ケース体のコストアップの原因となってしまう。また、この様に、引き出しケース体の正面板部の外観を良くしたとしても、ケース本体に収納し引き出しケース体の周囲に露出するケース本体の縁部（何ら体裁について考慮されていない安価な材質やデザインの縁部）により、台無しになってしまうのが現状である。
【０００６】
この点、引き出し式収納ケース体の中には、ケース本体に引き出しケース体を収納した際に、この引き出しケース体の正面板である正面板部が前記ケース本体の正面開口部の周縁より大きい形状として、ケース本体の正面開口部の縁部を正面板部の周縁部で隠す形状としたものが提案されているが、このような商品であっても、前述したようにケース本体に一体成形される正面板部の素材や形状などを良くしてデザイン性を向上しようとすると、やはり新しい金型を高額な資金を投じて用意する必要があり、よって、製造費がかかってコストアップの問題が生じてしまう。
【発明の開示】
【発明が解決しようとする課題】
【０００７】
本発明は、これら問題に鑑みて、ケース本体の正面開口部の縁部を正面から隠して正面視の外観が良い引き出し式収納ケース体を提供可能とすると共に、ケース本体を積み重ねて且つ引き出しケース体をケース本体内に収納した際には正面からは一体の壁部を形成するものとして、多段の棚を有する機能性を有したデザイン壁を提供でき、しかも高額な金型代を投資すること無しに、異なる材質、形状及び色彩若しくは模様の引き出し式収納ケース体を製造できることとして、様々なデザインの引き出し式収納ケース体を選択できる、つまり、前記デザイン壁のデザインを充実したラインナップから選択できることとなる極めて実用的で秀れた引き出し式収納ケース体を提供するものである。
【課題を解決するための手段】
【０００８】
添付図面を参照して本発明の要旨を説明する。
【０００９】
上面開口形の引き出しケース体１を、積み重ね自在に設けたケース本体２の正面開口部３から引き出し自在に設け、このケース本体２の正面開口部３から前記引き出しケース体１を前方へ引き出して、引き出しケース体１の上部開口部４から物を出し入れできるように構成すると共に、前記ケース本体２に前記引き出しケース体１を収納した際に、この引き出しケース体１の正面壁部５が前記ケース本体２の正面開口部３を閉塞するように構成し、前記引き出しケース体１の前記正面壁部５を、前記引き出しケース体１を樹脂成形する際に一体成形される正面板部６に、別体の樹脂パーツとして成形した重合正面板７を正面側から重合付設して板材重合構成の正面壁部５とし、前記重合正面板７の周縁部８が前記ケース本体２の正面開口部３の縁部９の正面に配設してこの縁部９を正面から隠す形状で且つこの縁部９からはみ出さない形状にこの重合正面板７の外形状を設定したことを特徴とする引き出し式収納ケース体に係るものである。
【００１０】
また、前記板材重合構成の正面壁部５の前記樹脂製の重合正面板７は、前記樹脂製の引き出しケース体１の前記正面板部６の材質とは別材質としたことを特徴とした請求項１記載の引き出し式収納ケース体に係るものである。
【００１１】
また、前記板材重合構成の正面壁部５の前記樹脂製の重合正面板７は、材質、形状及び色彩若しくは模様を設定して飾り板に構成したことを特徴とする請求項１，２のいずれか１項に記載の引き出し式収納ケース体に係るものである。
【００１２】
また、前記板材重合構成の正面壁部５の前記樹脂製の重合正面板７は、中央を開口して前記正面板部６が露出する窓部10を設けた枠板状に構成したことを特徴とする請求項１〜３のいずれか１項に記載の引き出し式収納ケース体に係るものである。
【００１３】
また、前記引き出しケース体１の前記正面板部６を透明若しくは半透明な樹脂で形成して前記板材重合構成の正面壁部５の前記樹脂製の重合正面板７の前記窓部10から前記正面板部６を介して引き出しケース体１内が正面から透視できるように構成したことを特徴とする請求項４記載の引き出し式収納ケース体に係るものである。
【発明の効果】
【００１４】
本発明は、上述のように構成したから、単に別体の樹脂パーツとして成形した重合正面板を引き出しケース体の正面から重合付設するだけで、引き出しケース体の正面に新しいデザインの板材重合構成の正面壁部を構成することが可能となり、またケース本体の正面開口部の縁部を正面から隠して正面視の外観が良い引き出し式収納ケース体を提供可能とすると共に、ケース本体を積み重ねて且つ引き出しケース体をケース本体内に収納した際には正面からは一体の壁部を形成するものとして、多段の棚を有する機能性を有したデザイン壁を提供でき、しかも高額な金型代を投資すること無しに、異なる材質、形状及び色彩若しくは模様の引き出し式収納ケース体を製造できることとして、様々なデザインの引き出し式収納ケース体を選択できる、つまり、前記デザイン壁のデザインを充実したラインナップから選択できることとなる極めて実用的で秀れた引き出し式収納ケース体を提供できることとなる。
【００１５】
また、請求項２の発明においては、一層デザイン性の高い引き出し式収納ケース体となる。
【００１６】
また、請求項３の発明においては、一層多くのデザインを安価に製造できることとなり、消費者にも一層多くの選択肢を提供できることとなる。
【００１７】
また、請求項４の発明においては、一層安価な製品となる。
【００１８】
また、請求項５の発明においては、安価な製品となると共に内部が確認しやすい、一層安価で一層機能的な極めて秀れた引き出し式収納ケース体となる。
【発明を実施するための最良の形態】
【００１９】
好適と考える本発明の実施形態（発明をどのように実施するか）を、図面に基づいて本発明の作用を示して簡単に説明する。
【００２０】
別体の樹脂パーツとして成形した重合正面板７を、例えば、材質、形状及び色彩若しくは模様をケース本体２もしくは引き出しケース体１と異なるものとして、この重合正面板７を引き出しケース体１の正面から重合付設することにより、同じケース本体２や引き出しケース体１を用いて見た目には全く異なる新しいデザインの引き出し式収納ケース体を提供できることとなる。
【００２１】
しかも、重合正面板７は、引き出しケース体１とは別体としたから、新しいデザインの引き出し式収納ケース体の提供には、この別体の樹脂パーツとして成形した重合正面板７の金型のみを新しく準備すれば良く、この引き出し式収納ケース体の主たる部分を構成するケース本体２及び引き出しケース体１の２パーツの製造には既存の引き出し式収納ケース体の金型をそのまま利用できることとなり、安価に新しいデザインの引き出し式収納ケース体を製造・提供できることとなる。
【００２２】
即ち、一デザイン当りの投資コストが安いので、同じ新製品開発費を投資する場合、より多くの重合正面板７用の金型を用意することが出来ることとなり、よって、豊富なラインナップを提供できることとなる。従って、消費者は、引き出し式収納ケース体の柄即ち前記デザイン壁の柄を豊富なラインナップから選択できることとなる。
【００２３】
また、単に別体の樹脂パーツとして成形した重合正面板７を引き出しケース体１の正面から重合付設して板材重合構成の正面壁部５とするだけで、周縁部８が前記ケース本体２の正面開口部３の縁部９の正面に配設してこの縁部９を正面から隠す形状で且つこの縁部９からはみ出さない形状とした重合正面板７が、ケース本体２の何ら体裁について考慮されていない安価な材質の正面開口部３の縁部９や、前記ケース本体２の正面開口部３の縁部９と引き出しケース体１の境界線を隠すことが出来ることとなり、この引き出し式収納ケース体を正面視した際の外観を極めて良くすることが出来ることとなる。
【００２４】
例えば、重合正面板７を高級感のある材質で提供するだけで、引き出しケース体１を正面視した際にあたかも全体が高級感を有する素材で構成されているかのように見せることができ、引き出し式収納ケース体の商品価値を飛躍的に向上させることができる引き出し式収納ケース体となる。
【００２５】
しかも、この引き出し式収納ケース体は、例えば引き出し式収納ケース体同士を積み重ねて使用すると、ケース本体２に引き出しケース体１を収納して引き出しケース体１の正面壁部５がケース本体２の正面開口部３を閉塞するように構成する際には、引き出しケース体１の正面板部６に重合付設した重合正面板７がこの重合正面板７の周縁部８が前記ケース本体２の正面開口部３の縁部９の正面に配設してこの縁部９を正面から隠す形状で且つこの縁部９からはみ出さない形状としたことにより、隣接する重合正面板７の隣り合う辺同士が近接若しくは当接することとなると共に正面からはケース本体２の存在を隠せることとなり、正面視がこの重合正面板７を正面側から重合付設して板材重合構成の正面壁部５で形成される一体の壁部と見えることとなる。
【００２６】
その上、板状重合構成の正面壁部５で構成される前記デザイン壁のデザインは、重合正面板７の材質、形状及び色彩若しくは模様を替えた様々な重合正面板７から使用者の好みに合致するものを選択できるから、使用者の好みのデザインを有した正面壁部５とすることができ、しかも、このデザイン性の高い正面壁部５は、大容量の収納スペースを有する多機能な収納棚でるため、この一体の壁部は単なる引き出し式収納ケース体から構成されているとは思えない極めて実用的かつデザイン性に秀れた斬新な引き出し式収納ケース体といえる。
【００２７】
即ち、本発明の引き出し式収納ケース体は重合正面板７を別体として設けたことにより、この重合正面板７を引き出しケース体１に一体に成形される正面板部６に重合付設するだけで、この重合正面板７の周縁部８でケース本体２の縁部９を隠すことができ、安く簡単にこの引き出し式収納ケース体の正面視を良くすることが出来ると共に、この引き出し式収納ケース体を積み重ねて使用すれば、単なる引き出し式収納ケース体から構成されているとは思えない斬新なデザインのデザイン壁を簡単に設けることができることとなる。
【００２８】
しかも機能的な、引き出し式収納ケース体の商品価値を飛躍的に向上させ得る引き出し式収納ケース体となる。
【００２９】
以上のように、単に引き出しケース体１の正面板部６に重合付設するだけの構造である別パーツとして設けた重合正面板７により、引き出し式収納ケース体単体の商品価値を飛躍的に向上することができ、且つ、この引き出し式収納ケース体同士を積み上げるなどして使用する場合には、従来にない斬新なデザイン、使用スタイルを提供することができ、複数組み合わせて使用する引き出し式収納ケース体の商品価値を飛躍的に向上させることができる。
【００３０】
つまり、重合正面板７は引き出し式収納ケース体における単体での使用は勿論、複数組み合わせて使用する場合も考慮された構造である。
【実施例１】
【００３１】
本発明の具体的な実施例１について図面に基づいて説明する。
【００３２】
本実施例に係る引き出し式収納ケース体は、図１〜３に示すように、ケース本体２と、引き出しケース体１と、重合正面板７とで構成される。
【００３３】
以下、本実施例に係る構成各部の詳細な説明をする。
【００３４】
ケース本体２は、従来から使用している金型を用いることができる一般的な引き出し式収納ケース体の一般的なケース本体２とし、積み重ね自在のケース本体２とする。
【００３５】
具体的には、このケース本体２は直方体もしくは立方体とし、正面は開口された正面開口部３とする。
【００３６】
また、このケース本体２の下面15は、このケース本体２の積み重ね時にこのケース本体２を安定させ得る凹凸部若しくは足部を有する構成とする。また、このケース本体２の上面14は、他のケース本体２の下面15に設けた凹凸部もしくは足部が係止する構成とする。本実施例では、ケース本体２は直方体とし、このケース本体２の下面15の下部を凹凸形状として、上面14の上部の凹凸形状に係止させる構成とする。
【００３７】
また、このケース本体２の正面に正面開口部３を設けて、後述する引き出しケース体１を挿入して、この引き出しケース体１が引き出し自在となる構成とする。
【００３８】
また、このケース本体２の背面及び左右両側面16は、引き出し式収納ケース体を積み重ねた際に上下方向にかかる圧力に耐え得る構成とする。
【００３９】
尚、上面14、下面15、左右両側面16及び背面17は、板状（面状）とせずにメッシュ構造などにし、一定の強度を保持しつつ材料費の削減となる構成としても良い。更に、前記ケース本体２の枠部に耐圧性が高く変形しない素材を使用して、下面15、左右両側面16を設けない構成としても良い。この構成により、材料費が削減でき、より安価に製造できるから、より安価な製品とすることが可能となる。
【００４０】
ケース本体２の素材は、積み重ねの重みに耐え得る素材且つコスト安な素材を選択する。本実施例では、ポリプロピレン樹脂（ＰＰ樹脂）とする。
【００４１】
引き出しケース体１は、ケース本体２と同様に、従来から使用している金型を用いることができる一般的な引き出しケース体１とし、上面開口形の引き出しケース体１とする。
【００４２】
また、この上面開口形の引き出しケース体１は、図１〜４に示すように、積み重ね自在に設けたケース本体２の正面開口部３から引き出し自在に設け、このケース本体２の正面開口部３から前記引き出しケース体１を前方へ引き出して、引き出しケース体１の上部開口部４から物を出し入れできるように構成すると共に、前記ケース本体２に前記引き出しケース体１を収納した際に、この引き出しケース体１の正面壁部５が前記ケース本体２の正面開口部３を閉塞するように構成する。
【００４３】
前記引き出しケース体１の正面壁部５は、この引き出しケース体１の正面板部６であり、この正面板部６は前記引き出しケース体１を樹脂成形する際に一体成形することとする。
【００４４】
また、この正面板部６は、図５に示すように、ケース本体２に引き出しケース体１を収納した際に、この正面板部６は前記ケース本体２の正面開口部３より内側に収納され、この正面板部６の表面とケース本体２の正面開口部３の縁部９とが略同一面上に位置することとなる構成とする。
【００４５】
引き出しケース体１の左右両側面19の幅は正面板部６の幅より狭く、引き出しケース体１をケース本体２から引き出す際に、引き出しケース体１の左右両側面がケース本体２の両側面16と擦れて滑りにくくなることを防止し、抵抗なく簡単に引き出せる構成とする。
【００４６】
従って正面板部６の左右部は引き出しケース体１の左右両側面より外側に突出した縁部21を有する。後述する重合正面板７に設けられた爪部13は、正面板部６の上下の縁部21及び正面開口部３の内周より外方に位置する縁部21を利用して挟着することとする（図４）。
【００４７】
また、引き出しケース体１の奥行き長さは、ケース本体２の奥行きの長さと略合致するサイズとする。従って、引き出しケース体１は引き出しケース体１収納時に前記ケース本体２の背面17が、この引き出しケース体１を所定位置で制止させ、この制止状態時に、この正面板部６の表面とケース本体２の縁部９とが略同一面上に位置することとなる。
【００４８】
また、引き出しケース体１の正面板部６の下方には、この引き出しケース体１をケース本体２から引き出すための取手11を設けることとする。
【００４９】
また、引き出しケース体１の正面板部６を透明若しくは半透明な樹脂で形成する。
【００５０】
具体的には、この引き出しケース体１は、ケース本体２と同様、安価な合成樹脂とする。本実施例は具体的には透明なポリプロピレン樹脂（ＰＰ樹脂）で製造した。
【００５１】
重合正面板７は、図４に示すように、引き出しケース体１及びケース本体２とは別体のパーツとして設け、この重合正面板７を引き出しケース体１の正面板部６に正面側から重合付設して板材重合構成の正面壁部５とする。
【００５２】
この重合正面板７の外形状は、図６，７に示すように、前記重合正面板７の周縁部８がケース本体２の正面開口部３の縁部９の正面に配設してこの縁部９を正面から隠す形状で且つこの縁部９からはみ出さない形状に設定する。
【００５３】
この構成により、引き出し式収納ケース体の積み重ね時には、隣接する重合正面板７の隣り合う辺同士が近接若しくは当接することとなる。
【００５４】
また、本実施例では、具体的には重合正面板７のサイズをケース本体２と同等の高さとし、同等の幅を有した形状とする。
【００５５】
尚、本発明でいう重合正面板７周縁部８が縁部９を正面から隠す形状とは、必ずしも完全に隠すという場合に限られるものではなく、例えば取手を設けたりする機能上の為であったり、デザイン上の為であったりなど、重合正面板７の外形状を設定する上でわずかに隠れない部位が生じてしまうのも含む意味である。この点については、縁部９からはみ出さない形状についても同様である。
【００５６】
また、板材重合構成の正面壁部５の前記樹脂製の重合正面板７は、中央を開口して前記正面板部６が露出する窓部10を設けた枠板状に構成することとする。
【００５７】
本実施例では、前記重合正面板７は、この重合正面板７の中央を開口して前記正面板部６が露出するロ字状の窓部10を設けた枠板状の構成とした。
【００５８】
尚、重合正面板７をコ字状としても良い。開放部を壁、もしくは天井側に配置することにより、積み重ね時に正面壁部５はロ字状の枠が形成されているように見える。
【００５９】
前記板材重合構成の正面壁部５の前記樹脂製の重合正面板７の前記窓部10から、前記透明若しくは半透明な樹脂で形成した引き出しケース体１の正面板部６を介して引き出しケース体１内が正面から透視できるように構成することとする。
【００６０】
また、重合正面板７の引き出しケース体１の正面板部６への重合付設は、図４，８，９に示すように、重合正面板７に設けられた爪部13を介して成されることとする。
【００６１】
本実施例では、具体的には、この重合正面板７の背面に引き出しケース体１の正面板部６と略合致するサイズの枠部22を設け、この枠部に柔軟性を有する樹脂素材の爪部13を設けて、この爪部13で正面板部６の上下の縁部21及び正面開口部３の内周より外方に位置する縁部21を（図４）を挟み込み、この柔軟性を有する樹脂素材の爪部13のバネ付勢によって重合正面板７を正面板部６に固定する構成とする。
【００６２】
また、爪部13は重合正面板７の背面の周縁部８に複数箇所設けることとする。より具体的には、この周縁部の左右に各２箇所、上部に６箇所、下部に６箇所の爪部13を設けることとする。また、本実施例では、引き出しケース体１に重合正面板７を嵌め殺しとする。
【００６３】
尚、本実施例では、引き出しケース体１に重合正面板７を嵌め殺したが、着脱自在の構成としても良い。これにより、ケース本体２及び引き出しケース体１はそのままに、多大なコストをかける必要もなく、入れ替える手間をかける必要もなく、季節に合わせ、気分に合わせ、部屋の雰囲気に合わせ、使用者に好み合わせ、また子供の成長に合わせ、消費者が自分の個性や好み合わせ模様替えすることが可能となる。
【００６４】
重合正面板７を着脱自在に構成することにより、交換することにより模様替えすれば、模様変えの度に大きなゴミを排出することが避けられ、環境にも優しい商品となる。
【００６５】
尚、重合正面板７の重合付設は、重合付設できれば良く、前記爪部13を介した構成に限るものでは無く、また、この重合正面板７は、市販の引き出し式収納ケース体のケース本体２の正面板部６にも重合付設できるものとする。
【００６６】
また、重合正面板７の下方には、この重合正面板７を引き出しケース体１に重合付設した状態で、引き出しケース体１を引き出すための取手部12を設けることとする。
【００６７】
また、この取手部12は、重合正面板７の下方で引き出しケース体１の取手11と重合する位置を開口部とする構成として、引き出しケース体１の取手11を使用して引き出しケース体１を引き出せる構成とする。
【００６８】
尚、重合正面板７の下方に直接取手を設ける構成として、この重合正面板７に設けた取手を利用して引き出しケース体１を引き出す構成としても良い。
【００６９】
前記板材重合構成の正面壁部５の前記樹脂製の重合正面板７は、前記樹脂製の引き出しケース体１の正面板部６の材質とは別材質とする。
【００７０】
本実施例では、樹脂パーツとして成形する。具体的には、光沢を有し、高級感のあるＡＢＳ樹脂（アクリロニトリルブタジエンスチレン共重合合成樹脂）を用いることとする。
【００７１】
尚、重合正面板７は、引き出しケース体１やケース本体２と同素材でもよく、同素材でカラーバリエーションを揃えても良い。
【００７２】
本発明の引き出し式収納ケース体は単体で用いても良いが、図１０に示すように重ねて使用するとなお良い。
【００７３】
尚、図１１に示すように、色彩の異なる２色の重合正面板７を用い、複数の引き出し式収納ケース体を複数並べてその上に複数の引き出し式収納ケース体を積み重ねることにより構成した多段の棚の正面板部６に、前記２色の重合正面板７を交互に取り付けることにより、各重合正面板７が隣接する上下左右４つの重合正面板７とは異なる色彩を有するように重合付設し、これら重合正面板７から成る板材重合構成の正面壁部５が、一体となるデザインとしても良い。
【００７４】
従って、本実施例は、上述のように構成したから、別体の樹脂パーツとして成形した重合正面板７を、例えば、材質、形状及び色彩若しくは模様をケース本体２もしくは引き出しケース体１と異なるものとして、この重合正面板７を引き出しケース体１の正面から重合付設することにより、同じケース本体２や引き出しケース体１を用いて見た目には全く異なる新しいデザインの引き出し式収納ケース体を提供できることとなる。
【００７５】
しかも、重合正面板７は、引き出しケース体１とは別体としたから、新しいデザインの引き出し式収納ケース体の提供には、この別体の樹脂パーツとして成形した重合正面板７の金型のみを新しく準備すれば良く、この引き出し式収納ケース体の主たる部分を構成するケース本体２及び引き出しケース体１の２パーツの製造には既存の引き出し式収納ケース体の金型をそのまま利用できることとなり、安価に新しいデザインの引き出し式収納ケース体を製造・提供できることとなる。
【００７６】
即ち、一デザイン当りの投資コストが安いので、同じ新製品開発費を投資する場合、より多くの重合正面板７用の金型を用意することが出来ることとなり、よって、豊富なラインナップを提供できることとなる。従って、消費者は、引き出し式収納ケース体の柄即ち前記デザイン壁の柄を豊富なラインナップから選択できることとなる。
【００７７】
また、単に別体の樹脂パーツとして成形した重合正面板７を引き出しケース体１の正面から重合付設して板材重合構成の正面壁部５とするだけで、周縁部８が前記ケース本体２の正面開口部３の縁部９の正面に配設してこの縁部９を正面から隠す形状で且つこの縁部９からはみ出さない形状とした重合正面板７が、ケース本体２の何ら体裁について考慮されていない安価な材質の正面開口部３の縁部９や、前記ケース本体２の正面開口部３の縁部９と引き出しケース体１の境界線を隠すことが出来ることとなり、この引き出し式収納ケース体を正面視した際の外観を極めて良くすることが出来ることとなる。
【００７８】
例えば、重合正面板７を高級感のある材質で提供するだけで、引き出しケース体１を正面視した際にあたかも全体が高級感を有する素材で構成されているかのように見せることができ、引き出し式収納ケース体の商品価値を飛躍的に向上させることができる引き出し式収納ケース体となる。
【００７９】
しかも、この引き出し式収納ケース体は、この引き出し式収納ケース体を積み重ねて使用すると、引き出しケース体１の正面板部６に重合付設した重合正面板７がこの重合正面板７の周縁部８が前記ケース本体２の正面開口部３の縁部９の正面に配設してこの縁部９を正面から隠す形状で且つこの縁部９からはみ出さない形状としたことにより、隣接する重合正面板７の隣り合う辺同士が近接若しくは当接することとなると共に正面からはケース本体２の存在を隠せることとなり、正面視がこの重合正面板７を正面側から重合付設して板材重合構成の正面壁部５で形成される一体の壁部と見えることとなる。
【００８０】
その上、板状重合構成の正面壁部５で構成される前記デザイン壁のデザインは、重合正面板７の材質、形状及び色彩若しくは模様を替えた様々な重合正面板７から使用者の好みに合致するものを選択できるから、使用者の好みのデザインを有した正面壁部５とすることができ、しかも、このデザイン性の高い正面壁部５は、大容量の収納スペースを有する多機能な収納棚でるため、この一体の壁部は単なる引き出し式収納ケース体から構成されているとは思えない極めて実用的かつデザイン性に秀れた斬新な引き出し式収納ケース体といえる。
【００８１】
また、本実施例は、重合正面板７の素材を、光沢を有した高級感のあるＡＢＳ樹脂に設定して飾り板に構成すると共に、中央を開口して前記正面板部６が露出する窓部10を設けた枠板状の構成とし、更に前記引き出しケース体１の前記正面板部６を透明なＰＰ樹脂で形成して前記重合正面板７の前記窓部10から前記正面板部６を介して引き出しケース体１内が正面から透視できるように構成するので、正面壁部５の窓部10は、透明な引き出しケース体１の正面板部６が持つ機能を無駄にせず上手く利用した窓部10であって、一重構成としたことにより、透視可能な材質で設けた引き出しケース体１の正面板部６と透視可能な材質で設けた重合正面板７とを二重に重合付設したものと比し、より透視しやすくなり、例えばこの引き出し式収納ケース体の内部に入れた服などを、引き出しケース体１をその都度引き出すことなく、この引き出し式収納ケース体の内部を容易に確認できることとなり、極めて便利で実用的な引き出し式収納ケース体となる。更に、この重合正面板７を開口して設けた窓部10に相当する材料費を削減することが可能となり、より一層安価な製品とすることが可能となる引き出し式収納ケース体となる。
【００８２】
その上、この引き出し式収納ケース体は、利便性、実用性、経済性のみに傾くことなく、この引き出し式収納ケース体を積み重ねた際には、ケース本体２のケース本体２の正面開口部３に閉塞された正面壁部５が一体となった壁部となり、しかもその壁部は光沢を有した高級感のある斬新なデザインとなって正面視の外観が極めて良い引き出し式収納ケース体となる。
【００８３】
即ち、本発明の引き出し式収納ケース体は重合正面板７を別体として設けたことにより、この重合正面板７を引き出しケース体１に一体に成形される正面板部６に重合付設するだけで、この重合正面板７の周縁部８でケース本体２の縁部９を隠すことができ、安く簡単にこの引き出し式収納ケース体の正面視を良くすることが出来ると共に、この引き出し式収納ケース体を積み重ねて使用すれば、単なる引き出し式収納ケース体から構成されているとは思えない斬新なデザインのデザイン壁を簡単に設けることができることとなる。
【００８４】
しかも機能的な、引き出し式収納ケース体の商品価値を飛躍的に向上させ得る引き出し式収納ケース体となる。
【実施例２】
【００８５】
本発明の具体的な実施例２について図面に基づいて説明する。
【００８６】
図１２〜１４に示すように、板状重合構成の正面壁部５の前記樹脂製の重合正面板７は、中央を開口せずに、板状のままで使用することとする。
【００８７】
また、板材重合構成の正面壁部５の前記樹脂製の重合正面板７は、材質、形状及び色彩若しくは模様を設定して飾り板に構成することとする。
【００８８】
具体的には、重合正面板７の素材は、光沢を有し高級感のあるＡＢＳ樹脂を用い、引き出しケース体１及びケース本体２には、安価なＰＰ樹脂を用いることとする。
【００８９】
また、重合正面板７の背面には、この重合正面板７の背面と引き出しケース体１の表面間の高さを有した突起部23を設けてこの重合正面板７を重合付設した際に、この重合正面板７が撓むことを防止する構成とする。
【００９０】
従って、本実施例では、引き出しケース体１の正面壁部５を、前記引き出しケース体１を樹脂形成する際に一体成形される正面板部６に、別体の樹脂パーツとし成形した重合正面板７を正面から重合付設して板状重合構成の正面壁部５とすると、この正面壁部５は、
尚、重合正面板７の中央部を開口しない状態（閉塞した状態）で、この重合正面板７全体に模様を設ける構成として、複数の引き出し式収納ケース体を並べてその上に複数の引き出し式収納ケース体を積み重ねることにより、より一体感のあるデザインとしても良い。
【００９１】
その余は実施例１と同様とする。
【図面の簡単な説明】
【００９２】
【図１】実施例１を示す斜視図である。
【図２】実施例１の使用状態を示す斜視図である。
【図３】実施例１に係る要部を示す斜視図である。
【図４】実施例１に係る要部を示す斜視図である。
【図５】実施例１に係る要部の説明図である。
【図６】実施例１を示す側面図である。
【図７】実施例１を示す上面図である。
【図８】実施例１に係る要部の側断面図である。
【図９】実施例１に係る要部の断面図である。
【図１０】実施例１を示す使用状態説明図である。
【図１１】実施例１を示す使用状態説明図である。
【図１２】実施例２を示す斜視図である。
【図１３】実施例２の使用状態を示す斜視図である。
【図１４】実施例２の分解図である。
【符号の説明】
【００９３】
１  引き出しケース体
２  ケース本体
３  正面開口部
４  上部開口部
５  正面壁部
６  正面板部
７  重合正面板
８  周縁部
９  縁部
【図１】
2010005224.tif 000003
【図２】
2010005224.tif 000004
【図３】
2010005224.tif 000005
【図４】
2010005224.tif 000006
【図５】
2010005224.tif 000007
【図６】
2010005224.tif 000008
【図７】
2010005224.tif 000009
【図８】
2010005224.tif 000010
【図９】
2010005224.tif 000011
【図１０】
2010005224.tif 000012
【図１１】
2010005224.tif 000013
【図１２】
2010005224.tif 000014
【図１３】
2010005224.tif 000015
【図１４】
2010005224.tif 000016